(57)【要約】【課題】  複数の発光体を用いて充分な照射光量を確保できるとともに、取付対象物に対して充分な取付強度を確保しつつ着脱を容易に行うことができ、さらに、照射角度及び照射光量を調節することができる。【解決手段】  発光体５，６，７と電池とスイッチング回路とをハウジング４内に内蔵した小型携帯電灯１の取り付け構造であって，上記ハウジングの外周部に略円弧状の保持部を形成するとともに、この保持部に上記円弧に沿う第１の係合部９を設ける一方、上記保持部を挟むようにして上記第１の係合部に係合させられる複数の第２の係合部１７，１８，１９を設けた取付架台３を介して、上記ハウジングを取付対象物２に着脱可能かつ角度調節可能に保持して構成される。【選択図】  図４
2005116401.tif 000002
【特許請求の範囲】
【請求項１】
発光体と電池とスイッチング回路とをハウジング内に内蔵した小型携帯電灯の取り付け構造であって，
上記ハウジングの外周部に略円弧状の保持部を形成するとともに、この保持部に上記円弧に沿う第１の係合部を設ける一方、
上記保持部を挟むようにして上記第１の係合部に係合させられる複数の第２の係合部を設けた取付架台を介して、上記ハウジングを取付対象物に着脱可能かつ角度調節可能に保持する小型携帯電灯の取付構造。
【請求項２】
上記第１の係合部が係合凹部又は係合凸部であり、
上記第２の係合部が上記第１の係合部に係合させられる係合凸部又は係合凹部である、請求項１に記載の小型携帯電灯の取付構造。
【請求項３】
上記取付架台に少なくとも３つの第２の係合部を設けるとともに、上記第２の係合部を３方向から上記第１の係合部に係合させて上記ハウジングを保持する、請求項１又は請求項２のいずれかに記載の小型携帯電灯の取付構造。
【請求項４】
上記第１の係合部として上記保持部の円弧に沿う溝状の係合凹部を形成する一方、第２の係合部として形成した複数の係合爪部を上記係合凹部に沿って変位可能に係合させることにより、上記ハウジングを角度調整可能に保持する、請求項１から請求項３のいずれかに記載の小型携帯電灯の取付構造。
【請求項５】
互いに係合させられる少なくとも一組の第１の係合部及び第２の係合部に、互いに噛合して上記ハウジングを所定の角度に保持できる係合歯をそれぞれ設けた、請求項１から請求項４のいずれかに記載の小型携帯電灯の取付構造。
【請求項６】
連結リングを上記ハウジング内に収容可能に設けた、請求項１から請求項５のいずれかに記載の小型携帯電灯の取付構造。
【請求項７】
上記連結リングは、上記リングの直径方向への弾力によって、上記ハンジングに設けた収容穴に保持される、請求項６に記載の小型携帯電灯の取付構造。
【請求項８】
上記取付架台の上記取付対象物に対接する取付面に、複数の方向に軸線を向けた円筒外面に対応する凹部を設けた、請求項１から請求項７のいずれかに記載の小型携帯電灯の取付構造。
【請求項９】
上記小型携帯電灯は、
複数の発光体と、
上記複数の発光体から所望の発光体を選択して発光させることができる発光体選択手段と、
選択した発光体の発光パターンを選択できる発光パターン選択手段とを備えて構成される、請求項１から請求項８のいずれかに記載の小型携帯電灯の取付構造。
【請求項１０】
上記発光体として複数のＬＥＤ発光体を設けた、請求項１から請求項９のいずれかに記載の小型携帯電灯の取付構造。
【請求項１１】
発光体と電池とスイッチング回路とをハウジング内に内蔵した小型携帯電灯を、取付架台を介して取付対象物に取り付ける方法であって、
上記ハウジングの外周部を略円弧状に形成するとともに上記円弧に沿う第１の係合部を形成する一方、
上記第１の係合部に、上記取付架台に設けた複数の第２の係合部を係合させることにより、上記小型携帯電灯を上記取付架台に対して角度調節可能かつ着脱可能に保持する小型携帯電灯の取付方法。
【請求項１２】
互いに係合させられる少なくとも一組の第１の係合部及び第２の係合部に互いに噛合する係合歯を形成し、上記ハウジングを角度調節可能に保持する、請求項１１に記載の小型携帯電灯の取付方法。
【発明の詳細な説明】
【技術分野】
【０００１】
本願発明は、小型携帯電灯の取付構造及び取付方法に関する。詳しくは、小型携帯電灯をキーホルダのように携帯できるとともに、自転車のフレーム等に対して充分な強度で装着でき、しかも、照射角度を調節することができる小型携帯電灯の取付構造及び小型携帯電灯の取付方法に関する。
【背景技術】
【０００２】
従来の懐中電灯は、明るさ及び点灯時間を確保するため、寸法及び重量の大きな電池が必要であった。このため、外形寸法が大きくなり、持ち運びも面倒であった。また、他の機器等に着脱可能に装着して使用することも困難であった。
【０００３】
近年、非常に小型で高輝度のＬＥＤ発光体が開発された。この高輝度ＬＥＤを用いることにより、懐中電灯の発光部位の寸法を極めて小さくすることができる。これによって、種々の小型携帯電灯が提供されるようになった。本願発明の発明者も、手指や自転車等のハンドルに容易に着脱できる小型携帯電灯を開発し、特許出願を行った。
【特許文献１】特開２００１−３５７７０１号
【０００４】
特許文献１に記載された小型携帯電灯は、板状の電池を用いて装置を小型化するとともに、弾性帯を用いて様々な場所に容易に着脱できる小型携帯電灯である。
【発明の開示】
【発明が解決しようとする課題】
【０００５】
特許文献１に記載されている小型携帯電灯は、基板と板状の電池を直接積層することにより装置を格段に小型化できるとともに、ゴムバンド等の弾性帯を用いて種々の取付対象物に装着することができるものである。文献１に記載された上記小型携帯電灯は、小型化を図ることを目的としており、一つの発光体を用いて装置を構成している。上記小型携帯電灯は、手元照明や信号用の照明としては充分に利用することができる。
【０００６】
ところが、上記小型携帯電灯は、ＬＥＤ発光体を採用しているため、従来の懐中電灯や自転車の前方照明として利用するには光量が不足する。また、光量を増加させるには複数の発光体を採用すればよいが、複数の発光体を採用した場合、大容量の電池を内蔵する必要があるため、装置寸法及び重量が大きくなる。
【０００７】
また、上記特許文献１に記載された小型携帯電灯は、弾性帯によってハンドル等に着脱可能に取り付けることができるが、装置が大型化すると、弾性帯では充分な取付強度を確保することができなくなる。
【０００８】
しかも、自転車のハンドル等に取り付けて前方照明として利用する場合には、照射方向を調節する必要がある。ところが、弾性帯を用いた取付構造では、光の照射方向を調節するのは困難であった。
【０００９】
さらに、光量を増加させるために複数のＬＥＤ発光体を常時発光させると、消費電力が大きくなり、電池寿命が短くなる。しかしながら、携帯電灯の使用場面によっては、上記文献１に記載れたように、一つの発光体を発光させるだけで充分な場合もある。
【００１０】
本願発明は、上述の課題を解決するために案出されたものであり、複数の発光体を用いて充分な照射光量を確保できるとともに、取付対象物に対して充分な取付強度を確保しつつ着脱を容易に行うことができ、さらに、取付対象あるいは目的に応じて照射角度及び照射光量を調節することができる、小型携帯電灯の取付構造を提供するものである。
【課題を解決するための手段】
【００１１】
本願の請求項１に記載した発明は、発光体と電池とスイッチング回路とをハウジング内に内蔵した小型携帯電灯の取り付け構造であって，上記ハウジングの外周部に略円弧状の保持部を形成するとともに、この保持部に上記円弧に沿う第１の係合部を設ける一方、上記保持部を挟むようにして上記第１の係合部に係合させられる複数の第２の係合部を設けた取付架台を介して、上記ハウジングを取付対象物に着脱可能かつ角度調節可能に保持するものである。
【００１２】
上記発光体の種類は特に限定されることはないが、装置を小型化するため、請求項１０に記載した発明のように、ＬＥＤ発光体を採用するのが好ましい。また、発光体の数、電池の種類や大きさ、ハウジングの形態は特に限定されることはない。
【００１３】
本願発明においては、上記ハウジングの外周部に略円弧状の保持部を形成する。上記保持部を形成する部位は特に限定されることはなく、取付架台に対して角度調節可能に連結保持される部位であればよい。たとえば、ハウジングの側部外周を平面視略円弧状に形成することができる。また、ハウジングの底部に断面円弧状の保持部を膨出形成することもできる。上記円弧状保持部の円弧の範囲は、上記係合爪部によって角度調節可能に挟持できる範囲であればよく、少なくとも１８０°以上の角度範囲に設定するのが好ましい。
【００１４】
上記円弧状保持部の円弧に沿って第１の係合部が形成される。上記第１の係合部の形態は特に限定されることはなく、第２の係合部と共働して上記ハウジングを取付対象物に着脱可能かつ角度調節可能に保持できる形態であればよい。たとえば、上記第１の係合部として上記円弧に沿う凸条を形成する一方、上記第２の係合部を上記凸条に係合させられる凹溝を備えて形成することができる。
【００１５】
上記円弧状保持部に設けた第１の係合部と上記取付架台に設けた複数の第２の係合部を係合させることにより、上記ハウジングを上記架台に対して角度調節可能に保持することが可能となる。
【００１６】
本願の請求項２に記載した発明は、上記第１の係合部として、係合凹部又は係合凸部を採用する一方、上記第２の係合部として、上記第１の係合部に係合させられる係合凸部又は係合凹部を採用したものである。
【００１７】
上記ハンジングを上記取付架台から外れないように保持できれば、上記係合凹部あるいは上記係合凸部の形態は特に限定されることはない。たとえば、第１の係合部として上記円弧に沿う複数の円形凹部又は円形凸部を所定間隔で形成する一方、上記第２の係合部として上記円形凹部又は上記円形凸部に係合できる円形凸部又は円形凹部を形成することができる。この場合、上記第１の係合部の数を上記第２の係合部の数より多く設定するとともに、上記第１の係合部を上記第２の係合部の形成角度範囲より広い角度範囲に形成することにより、上記ハウジングの角度を調節することが可能となる。
【００１８】
上記第２の係合部の数も特に限定されることはなく、２以上の第２の係合部を設ければハウジングを保持することができる。また、上記ハウジングを安定的に保持するため、請求項３に記載した発明のように、上記取付架台に少なくとも３つの第２の係合部を設けるとともに、上記第２の係合部を３方向から上記第１の係合部に係合させて上記ハウジングを保持するように構成するのが望ましい。
【００１９】
本願発明では、上記第１の係合部と上記第２の係合部との係合を解除することにより、上記携帯電灯が上記取付架台から取り外される。上記第１の係合部と上記第２の係合部の係合を解除するために、少なくとも１以上の第２の係合部を弾性変位可能に形成するのが好ましい。
【００２０】
上記ハウジング及び上記取付架台を形成する材料は特に限定されることはなく、金属、プラスチック等の一般的な材料で形成することができる。また、上記係合爪部を変位させるために、取付架台の本体と上記係合爪部とを別途に形成することもできるし、上記係合爪部と取付架台とを弾性変形可能なプラスチックで一体成形することもできる。
【００２１】
本願の請求項４に記載した発明は、上記第１の係合部として上記保持部の円弧に沿う溝状の係合凹部を形成する一方、第２の係合部として形成した複数の係合爪部を上記係合凹部に沿って変位可能に係合させることにより、上記ハウジングを角度調整可能に保持するものである。
【００２２】
上記第１の係合部として溝状の係合凹部を設けることにより、ハウジングの角度を溝に沿って連続的に調節することが可能となる。また、第１の係合凹部を溝状に形成することにより、ハウジングの外観見栄えが低下するのを緩和することができる。上記溝状の係合凹を形成する範囲は限定されることはなく、各係合爪部の係合角度範囲において複数設けることもできるし、上記保持部の全体に設けることもできる。
【００２３】
上記ハウジングの取付角度を確実に保持するため、請求項５に記載した発明のように、互いに係合させられる少なくとも一組の第１の係合部及び第２の係合部に、互いに噛合して上記ハウジングを所定の角度に保持できる係合歯をそれぞれ設けることができる。
【００２４】
上記係合歯は、互いに組み合わされる一組の係合部に設けることもできるし、すべての係合部に形成することもできる。また、上記係合歯の形態は限定されることはなく、たとえば、三角山状の係合歯や台形状の係合歯を形成することができる。
【００２５】
本願の請求項６に記載した発明は、連結リングを上記ハウジング内に収容可能に設けたものである。上記連結リングは、本願発明に係る携帯電灯をキーホルダ等に連結するためのものである。上記連結リングがハウジングの外部に突出した状態では、上記ハウジングを上記取付架台に装着する際に邪魔になる。このため、本願発明では、上記連結リングを上記ハウジング内に収容可能に設ける。
【００２６】
上記連結リングを収容する部位は限定されることはないが、ハウジングの外周面に突出しないように収容するのが好ましい。たとえば、ハウジングの底部や後部に収容穴を設けて、上記連結リングを出没可能に収容することができる。
【００２７】
上記連結リングは、金属等の弾性体で形成されているため、請求項７に記載した発明のように、上記連結リングを、上記リングの直径方向への弾力によって、上記ハンジングに設けた収容穴に保持するように構成できる。たとえば、上記リングの外径より若干小さい収容穴を形成することにより、上記リングの弾力を利用してハウジング内に収容保持することが可能となる。
【００２８】
本願の請求項８に記載した発明は、上記取付架台の上記取付対象物に対接する取付面に、複数の方向に軸線を向けた円筒外面に対応する凹部を設けたものである。
【００２９】
上記係合凹部と係合爪部の係合によって、携帯電灯の照射角度を調節することができるが、調節角度範囲を大きくするために円弧の角度範囲を大きくすると、ハウジングのデザインに制限を加えることになる。本願発明は、上記取付架台の取付対象物に対する取付角度を調節することができるように構成して、照射角度調節範囲をさらに拡大するものである。
【００３０】
取付架台の取付面に複数の方向に軸線を向けた円筒外面に対応する凹部を設けることにより、自転車のハンドルが傾斜している場合でも、光を正面方向に照射させることが可能となる。また、種々の対象物に対して所望の角度で光りを照射することが可能となり、利用範囲が拡大される。
【００３１】
本願の請求項９に記載した発明は、上記小型携帯電灯を、複数の発光体と、上記複数の発光体から所望の発光体を選択して発光させることができる発光体選択手段と、選択した発光体の発光パターンを選択できる発光パターン選択手段とを備えて構成したものである。
【００３２】
複数の発光体を設けた場合、消費電力が大きくなり、電池寿命が短縮される。一方、全ての発光体を発光させる必要がない場合もある。本願発明は、これらの場合に対応できるように構成したものである。
【００３３】
上記発光体選択手段は、所望の部位の発光体あるいは所望の数の発光体を選択して点灯させるものである。たとえば、発光体選択スイッチと、上記スイッチの操作によって作動する発光体選択回路から構成することができる。一方、上記発光パターン選択手段は、各々の発光体あるいは複数の発光体の発光パターンを選択するものである。たとえば、発光パターン選択スイッチと、上記スイッチの操作によって作動する発光パターン選択回路から構成することができる。上記発光体選択回路と、上記発光パターン選択回路は、上記スイッチング回路に設けられる。
【００３４】
上記構成を採用することにより、必要に応じて光量を調節することが可能となり、電池寿命を延ばすことが可能となる。また、複数の発光体を組み合わせた点灯パターンを選択することも可能となる。
【００３５】
本願の請求項１１に記載した発明は、発光体と電池とスイッチング回路とをハウジング内に内蔵した小型携帯電灯を、取付架台を介して取付対象物に取り付ける方法であって、上記ハウジングの外周部を略円弧状に形成するとともに上記円弧に沿う第１の係合部を形成する一方、上記第１の係合部に、上記取付架台に設けた複数の第２の係合部を係合させることにより、上記小型携帯電灯を上記取付架台に対して角度調節可能かつ着脱可能に保持するものである。
【００３６】
本願の請求項１２に記載した発明は、互いに係合させられる一組の第１の係合部及び第２の係合部に互いに噛合する係合歯を形成し、上記ハウジングを角度調節可能に保持するものである。
【発明を実施するための最良の形態】
【００３７】
以下、本願発明の実施の形態を図に基づいて具体的に説明する。
【００３８】
図１から図３に示すように、本実施の形態に係る携帯電灯１は、自転車のハンドルバー２に取付架台３を介して取り付けられている。
【００３９】
図２に示すように、上記携帯電灯１は、後部の側面外周が平面視略円弧状に形成された偏平状のハウジング４を備えており、このハウジング４の前面部に３個のＬＥＤ発光体５，６，７が、前方に向けて光を照射できるように保持されている。
【００４０】
上記ハウジング４の後部の側面外周は、約２５０度の範囲にわたって平面視略円弧状に形成されており、上記取り付け架台３によって保持される保持部８を構成している。上記保持部８には、上記発光体５，６，７を保持した前面部分を除いて、上記円弧に沿う溝状の係合凹部９が形成されている。また、図４に示すように、上記係合凹部９の後方部には、三角山形の係合歯１０が所定角度範囲に形成されている。
【００４１】
図１及び図７に示すように、上記取付架台３は樹脂で一体形成されており、取付バンド１１を通挿する通１穴１２を４箇所に設けた取付基部１３と、上記取付基部１３から一体的に延出形成された３つのアーム部１４，１５，１６とを備えて構成される。上記通挿穴１２は対向するように形成されており、直交する２方向から上記取付バンドを通挿して取付架台３をハンドルバー２に固定できるように形成されている。上記各アーム部１４，１５，１６の先端内側には、上記ハウジング４の上記係合凹部９に係合させられる係合爪部１７，１８，１９が突出形成されている。上記係合爪部のうち、後方の係合爪部１８には、上記ハウジング４に設けた係合歯１０に噛合できる係合歯２０が形成されている。上記アーム部１４，１５，１６は、約１１０度の間隔で形成されており、上記ハウジング４を３方向から挟持できるように構成されている。
【００４２】
また、図８に示すように、上記取付架台３の上記ハンドルバー２に対接する取付面３２には、９０度の方向に向けた円筒外面に対応する凹部３３，３４が形成されている。また、上記通挿穴１２は、直交する２方向から上記取付バンド１１を通挿できるように構成されている。これにより、上記取付架台３の上記ハンドルバー２等に対する縦横の取付角度を選択することができる。これにより、取付範囲が広がり、自転車のみならず、種々の取付対象物に適用することが可能となる。
【００４３】
本実施の形態では、上記取付架台３は、図１及び図３に示すように、上記通挿穴１２に通挿されるとともにハンドルバー２に巻回され、ねじ２１によって締め付けることのできる上記取付バンド１１によって、上記ハンドルバー２に固定されている。
【００４４】
図９に示すように、上記携帯電灯１は、上記取付架台３の後方から上記係合凹部９を前方の係合爪部１７，１９に係合させるようにして装着される。図４に示すように、装着状態において、上記ハウジング４に設けた係合歯１０と上記係合爪部１８に設けた係合歯２０とが噛合させられることにより、上記ハウジング４を所定角度で保持することができる。一方、図１０に示すように、アーム部１５を後方に弾性変位させて上記係合歯１０，２０の噛合を解除することにより、ハウジング４の取付角度を調節することができる。上記アーム部１５には、上記操作を行うための操作部３５が形成されている。
【００４５】
上記携帯電灯１を上記取付架台３から取り外すには、図１０に示すように、上記操作部３５を下方に押圧して上記アーム部１５をさらに後方に変位させ、上記係合爪部１８と上記係合凹部９との係合を解除し、上述した装着方向と逆方向にハウジング４を取り外せばよい。
【００４６】
上記構成を採用することにより、上記携帯電灯１を角度調節可能に上記ハンドルバー２に装着することができる。また、３つのアーム部に設けた係合爪部１７，１８，１９によって、上記ハウジング４を３方向から挟持するように保持しているため、充分な取付強度を確保することができる。一方、後方の係合爪部１５を弾性変位させることにより、上記携帯電灯１を上記取付架台３から容易に取り外すことができる。
【００４７】
図４から図６に示すように、本実施の形態では、連結リング２２を上記ハウジング４内に収納可能に保持している。上記連結リング２２は、金属線を巻回して形成されており、上記取付架台３から取り外した場合にキーホルダー等に連結できるように形成されている。
【００４８】
本実施の形態では、上記ハウジング４の後部に、底面２３に開口する収納穴２４を形成し、上記連結リング２２を収納できるように構成している。上記収納穴２４は、図５に示すように、上記連結リング２２の外径とほぼ同じ深さに形成されているとともに、中間部に上記連結リング２２の外径より若干小さい幅の係止部２５が形成されている。上記連結リング２２は、上記係止部２５において直径方向に弾性変形させられるようにして、上記収納穴２４に収納される。すなわち、上記連結リング２２の弾性を利用して上記収納穴２４内に保持することができる。
【００４９】
図３から明らかなように、上記携帯電灯１を上記取付架台３に装着する場合には、上記連結リング２２が上記収納穴２４に収納される。したがって、装着時に上記連結リング２２が邪魔になることはない。このため、上記携帯電灯１を上記取付架台３に円滑に着脱することが可能となる。
【００５０】
図６に示すように、上記収納穴２４は、ハウジング４の底面２３から直角方向に形成されている一方、上記連結穴２４から引き出した上記連結リング２２は、上記収納穴２４の開口部に掛け渡し状に形成された支持バー３６に保持される。上記支持バー３６は、上記連結リング２２を、ハウジング４の後方に向けて回動可能に保持できる。このため、キーホルダー等に容易に連結することができる。
【００５１】
図４及び図６に示すように、本実施の形態に係る携帯電灯１は、上記３つの発光体５，６，７と、上記発光体を発光させる回路基板２６と、電池２７と、上記回路基板２６から、上記ハウジング４の上方に突出させられた一対の操作スイッチ２８，２９とを備えて構成されている。上記回路基板２６に本願発明に係るスイッチング回路が形成されている。
【００５２】
図１１に示すように、上記回路基板２６には、発光させる発光体を選択する発光体選択回路３０と、上記発光体のＯＮ−ＯＦＦ操作及び発光体の発光パターンを選択する発光パターン選択回路３１が形成されている。上記スイッチ２８を操作することにより、上記発光体選択回路を作動させ、所望の発光体を発光させることができる。一方、上記スイッチ２９を操作して上記発光パターン選択回路３１を作動させることにより、発光体のＯＮ−ＯＦＦ及び発光体の発光パターンを選択することができる。上記発光体の発光パターンとして、たとえば、連続点灯や間欠点灯等を選択できるように構成されている。なお、上記操作スイッチ２８，２９は、繰り返し押圧操作することにより、所望の選択を行うことができるように構成されている。
【００５３】
上記発光体選択回路３０及び操作スイッチ２８を設けることにより、使用場面に応じて発光する発光体の数を選択することが可能となり、照射光量を調節することができる。これにより、電池寿命を延ばすことができる。また、上記発光パターン選択回路３１及び操作スイッチ２９を設けることにより、選択した発光体を種々の点灯パターンで発光させることが可能となる。
【００５４】
しかも、本実施の形態では、上記携帯電灯が上記取付架台３によってハンドルバー２に取り付けられるため、取付強度が高い。したがって、上記二つの操作スイッチを同時に、しかも安定的に操作することもできる。
【００５５】
本願発明の範囲は、上述の実施の形態に限定されることはない。実施の形態では、３つのアーム部に設けた３つの係合爪部によって、ハウジングを３方向から挟持するように構成したが、２つの係合アーム部及び係合爪部によって保持するように構成することもできる。
【００５６】
また、実施の形態では、第１の係合部として溝状の凹部を形成する一方、第２の係合部として上記凹部に係合させられる係合爪部を形成したが、第１の係合部として円弧に沿う凸条を形成する一方、第２の係合部として上記凸条に係合させられる凹溝を形成することもできる。
【００５７】
また、取付架台を取付バンド１１によってハンドルバー２に固定したが、他の手段によって固定してもよい。
【図面の簡単な説明】
【００５８】
【図１】携帯電灯の取付状態を示す正面図である。
【図２】携帯電灯の取付状態を示す平面図である。
【図３】携帯電灯の取付状態を示す側面図である。
【図４】図３におけるIV−IVに沿う断面図である。
【図５】図４における V−V に沿う断面図である。
【図６】図４におけるVI−VIに沿う断面図である。
【図７】取付架台の上部を示す斜視図である。
【図８】取付架台の下部を示す斜視図である。
【図９】携帯電灯を取付架台に対して着脱する操作を説明する図である。
【図１０】携帯電灯を取付架台に対して着脱する操作を説明する図である。
【図１１】スイッチング回路の作用を説明するブロック図である。
【符号の説明】
【００５９】
１  小型携帯電灯
２  取付対象物
３  取付架台
４  ハウジング
５  発光体
６  発光体
７  発光体
８  保持部
９  係合凹部（第１の係合部）
１７  係合爪部（第２の係合部）
１８  係合爪部（第２の係合部）
１９  係合爪部（第２の係合部）
【図１】
2005116401.tif 000003
【図２】
2005116401.tif 000004
【図３】
2005116401.tif 000005
【図４】
2005116401.tif 000006
【図５】
2005116401.tif 000007
【図６】
2005116401.tif 000008
【図７】
2005116401.tif 000009
【図８】
2005116401.tif 000010
【図９】
2005116401.tif 000011
【図１０】
2005116401.tif 000012
【図１１】
2005116401.tif 000013